(57)【要約】      （修正有）【課題】サイトに置かれたコンテンツの主従関係、リンク状態等により表されるコンテンツの総合的状態を認識容易とすることで、適切且つ容易にサイトを管理し得るシステムを提供する。【解決手段】第１画像制御ユニット１２１が、第１処理ユニット１１１等による認識事項に応じた画像をディスプレー１０１に表示させる。また、第２処理ユニット１１２により認識されたコンテンツの「リンク状態」が、第１アイコンや第２アイコンの表示形態に反映されている。さらに、第３処理ユニット１１３により認識されたコンテンツの「アクセス履歴」が、このコンテンツを表す第１アイコンや第２アイコンの表示形態に反映されている。また、第２画像制御ユニット１２２が「画像補正内容」に従って、第１アイコンの位置や、コンテンツのリンク状態に応じた第１アイコンの表示形態が補正された画像をディスプレー１０１に表示させる。【選択図】  図１
2005293252.tif 000002
【特許請求の範囲】
【請求項１】
ネットワーク上で閲覧可能なコンテンツが置かれているサイトを管理するシステムであって、
コンテンツが管理されている第１システムとの通信に基づき、コンテンツの階位を認識する第１処理手段と、
コンテンツが管理されている第２システムとの通信に基づき、該コンテンツのリンク状態を認識する第２処理手段と、
コンテンツへのアクセス履歴を特定するアクセスログ情報が管理されている第３システムとの通信に基づき、コンテンツへのアクセス履歴を認識する第３処理手段と、
第１処理手段により認識されたコンテンツの階位が該コンテンツを表す第１アイコンの仮想空間における位置に反映され、第２処理手段により認識されたコンテンツのリンク状態が該コンテンツを表す第１アイコン及び該コンテンツのリンクを表す第２アイコンのうち一方又は両方の表示形態に反映され、且つ、第３処理手段により認識されたコンテンツへのアクセス履歴が該コンテンツを表す第１アイコン及び該コンテンツのリンクを表す第２アイコンのうち一方又は両方の表示形態に反映された画像を、画像表示装置に表示させる第１画像制御手段と、
画像補正内容を認識した上で、該画像補正内容に従って第１アイコンの位置と、コンテンツのリンク状態に応じた第１及び第２アイコンのうち一方又は両方の表示形態とのうち一方又は両方が補正された画像を画像表示装置に表示させる第２画像制御手段とを備えていることを特徴とするサイト管理システム。
【請求項２】
第１処理手段が、上位ディレクトリ内のコンテンツの階位が、該上位ディレクトリに従属する下位ディレクトリ内のコンテンツの階位よりも上位であり、且つ、ディレクトリの代表コンテンツの階位が、該ディレクトリ内の他のコンテンツの階位より上位であるという規則に従ってコンテンツの階位を認識することを特徴とする請求項１記載のサイト管理システム。
【請求項３】
第２画像制御手段が、前記画像補正内容を設定又は変更するためのユーザによる操作を可能とする第１操作用手段との通信に基づき、該第１操作用手段を通じて設定された画像補正内容を認識することを特徴とする請求項１又は２記載のサイト管理システム。
【請求項４】
第２画像制御手段による画像補正内容に従った補正画像を認定するためのユーザによる操作を可能とする第２操作用手段との通信に基づき、該第２操作用手段を通じた該画像の認容に応じて、第１システムとの通信に基づき、該第１システムにより管理されているコンテンツの階位及びリンク状態のうち一方又は両方を該補正画像に応じて補正する第４処理手段を備えていることを特徴とする請求項１、２又は３記載のサイト管理システム。
【請求項５】
第２画像制御手段が、第２処理手段により所定コンテンツとのリンク経路を有しないというリンク状態が認識されるコンテンツを表す第１アイコン及び該コンテンツのリンクを表す第２アイコンの表示形態を、該コンテンツが該所定コンテンツとのリンク経路を有するというリンク状態に応じた表示形態に変更するという内容を、前記画像補正内容として認識することを特徴とする請求項１、２、３又は４記載のサイト管理システム。
【請求項６】
第２画像制御手段が、第１処理手段により認識される階位が最上のコンテンツを前記所定コンテンツとして認識することを特徴とする請求項５記載のサイト管理システム。
【請求項７】
第２画像制御手段が、コンテンツを指定するためのユーザによる操作を可能とする第３操作用手段との通信に基づき、第３操作用手段を通じて指定されるコンテンツを前記所定コンテンツとして認識することを特徴とする請求項５記載のサイト管理システム。
【請求項８】
第２画像制御手段が、第３処理手段によりアクセス履歴として認識されるアクセス頻度が相対的に高いコンテンツを表す第１アイコンの位置を、上位位置に変更するという内容を、前記画像補正内容として認識することを特徴とする請求項１、２、３、４、５、６又は７記載のサイト管理システム。
【請求項９】
第１システムとの通信に基づき、一のコンテンツの情報と、他のコンテンツの情報との関連の強弱を表す情報関連度を認識する第５処理手段を備え、
第２画像制御手段が、第５処理手段により認識された情報関連度が相対的に高い２つのコンテンツを表す第１アイコン及び該コンテンツのリンクを表す第２アイコンの表示形態を、該２つのコンテンツのリンク経路が増加された、又は該２つのコンテンツのリンク経路に含まれるリンク数が減少されたというリンク状態に応じた表示形態に変更するという内容を前記画像補正内容として認識することを特徴とする請求項１、２、３、４、５、６、７又は８記載のサイト管理システム。
【請求項１０】
ネットワーク上で閲覧可能なコンテンツが置かれているサイトを管理する機能を任意のコンピュータに付与するプログラムであって、
コンテンツが管理されている第１システムとの通信に基づき、コンテンツの階位を認識する第１処理機能と、
コンテンツが管理されている第２システムとの通信に基づき、該コンテンツのリンク状態を認識する第２処理機能と、
コンテンツへのアクセス履歴を特定するアクセスログ情報が管理されている第３システムとの通信に基づき、コンテンツへのアクセス履歴を認識する第３処理機能と、
第１処理機能により認識されたコンテンツの階位が該コンテンツを表す第１アイコンの仮想空間における位置に反映され、第２処理機能により認識されたコンテンツのリンク状態が該コンテンツを表す第１アイコン及び該コンテンツのリンクを表す第２アイコンのうち一方又は両方の表示形態に反映され、且つ、第３処理機能により認識されたコンテンツへのアクセス履歴が該コンテンツを表す第１アイコン及び該コンテンツのリンクを表す第２アイコンのうち一方又は両方の表示形態に反映された画像を、画像表示装置に表示させる第１画像制御機能と、
画像補正内容を認識した上で、該画像補正内容に従って、第１アイコンの位置と、コンテンツのリンク状態に応じた第１及び第２アイコンのうち一方又は両方の表示形態とのうち一方又は両方が補正された画像を画像表示装置に表示させる第２画像制御機能とをインストール先のコンピュータに付与することを特徴とするサイト管理プログラム。
【発明の詳細な説明】
【技術分野】
【０００１】
本発明は、ネットワーク上で閲覧可能なコンテンツが置かれているサイトを管理するシステムに関する。また、本発明は、ネットワーク上で閲覧可能なコンテンツが置かれているサイトを管理する機能を任意のコンピュータに付与するプログラムに関する。
【背景技術】
【０００２】
サイト（ウェブサイト）の管理者にとって、サイトにどのようなコンテンツを置くかとか、複数のコンテンツをどのようにリンクさせるかは重要な関心事項である。
【０００３】
そこで、従来、サイト管理を支援するため、ウェブページ等のコンテンツへのユーザによるアクセス履歴を特定するアクセスログ情報を解析する手法が提案されている（例えば、特許文献１、２参照）。当該手法によれば、例えば、ユーザのコンピュータに時系列的に記憶されたアクセスログ情報が、このコンピュータからサーバに送信された上で解析される。そして、当該解析情報が表示されることにより、サイトや、サイトに置かれているコンテンツのユーザによる利用頻度等が把握可能となる。
【特許文献１】特開平１１−１１２０３７号公報  ００１１〜００２５段落、図５、図６
【特許文献２】特開２００２−３２８８６３号公報  ００４８〜００５２段落、図１０〜１２
【発明の開示】
【発明が解決しようとする課題】
【０００４】
しかし、前記手法のようにアクセスログ情報が解析されるだけでは、コンテンツのリンク状態が把握しきれない。すなわち、アクセスログ情報によれば、例えば、ユーザがコンテンツＡからコンテンツＢに移動したことは把握されるが、コンテンツＡ及びコンテンツＢがリンクされているか否かは完全には把握され得ない。また、アクセスログ情報によれば、アクセスログ情報に含まれないコンテンツの存在や、当該コンテンツの上下関係（主従関係）やリンク状態は把握され得ない。
【０００５】
これでは、コンテンツの変更・削除等の要否や、コンテンツの主従関係やリンク状態の修正の要否が検討され得ず、サイトの管理方針が適切に決定され得ない。
【０００６】
そこで、本発明は、サイトに置かれたコンテンツの主従関係、リンク状態等により表されるコンテンツの総合的状態を認識容易とすることで、適切且つ容易にサイトを管理し得るシステム及びプログラムを提供することを解決課題とする。
【課題を解決するための手段】
【０００７】
前記課題を解決するための本発明のサイト管理システムは、コンテンツが管理されている第１システムとの通信に基づき、コンテンツの階位を認識する第１処理手段と、コンテンツが管理されている第２システムとの通信に基づき、該コンテンツのリンク状態を認識する第２処理手段と、コンテンツへのアクセス履歴を特定するアクセスログ情報が管理されている第３システムとの通信に基づき、コンテンツへのアクセス履歴を認識する第３処理手段と、第１処理手段により認識されたコンテンツの階位が該コンテンツを表す第１アイコンの仮想空間における位置に反映され、第２処理手段により認識されたコンテンツのリンク状態が該コンテンツを表す第１アイコン及び該コンテンツのリンクを表す第２アイコンのうち一方又は両方の表示形態に反映され、且つ、第３処理手段により認識されたコンテンツへのアクセス履歴が該コンテンツを表す第１アイコン及び該コンテンツのリンクを表す第２アイコンのうち一方又は両方の表示形態に反映された画像を、画像表示装置に表示させる第１画像制御手段と、画像補正内容を認識した上で、該画像補正内容に従って、第１アイコンの位置と、コンテンツのリンク状態に応じた第１及び第２アイコンのうち一方又は両方の表示形態とのうち一方又は両方が補正された画像を画像表示装置に表示させる第２画像制御手段とを備えていることを特徴とする。
【０００８】
本発明のサイト管理システムによれば、第１処理手段が、第１システムとの通信に基づき一定の内容に従ってコンテンツの「階位」を認識する。また、第２処理手段が、第２システムとの通信に基づきコンテンツの「リンク状態」を認識する。さらに、第３処理手段が、第３システムとの通信に基づきコンテンツの「アクセス履歴」を認識する。なお、第１システム及び第２システムは共通のシステムであってもよい。
【０００９】
そして、第１画像制御手段が、第１、第２及び第３処理手段による認識に応じた画像を画像表示装置に表示させる。また、第２画像制御手段が、画像表示装置に表示された画像が「画像補正内容」に従って補正された画像を画像表示装置に表示させる。
【００１０】
画像表示装置における表示画像を通じて、コンテンツを表す第１アイコンの仮想空間における位置に反映された当該コンテンツの「階位」をユーザ（サイト管理者）に視覚を通じて把握させることができる。仮想空間における位置には、２次元及び３次元の仮想空間における位置が含まれる。また、コンテンツを表す第１アイコン及びそのコンテンツのリンクを表す第２アイコンのうち一方又は両方の「表示形態」に反映された当該コンテンツの「リンク状態」をユーザに視覚を通じて把握させることができる。さらに、コンテンツを表す第１アイコン及びそのコンテンツのリンクを表す第２アイコンのうち一方又は両方の「表示形態」に反映された当該コンテンツの「アクセス履歴」をユーザに視覚を通じて把握させることができる。
【００１１】
従って、本発明のサイト管理システムによれば、ユーザは、第１画像制御手段による表示画像を通じて、コンテンツの「階位」「リンク状態」及び「アクセス履歴」により表されるコンテンツの総合的な状態を容易に把握することができる。また、ユーザは、第２画像制御手段による表示画像を通じて、コンテンツの「階位」及び「リンク状態」のうち一方又は両方が補正（変更）された場合のコンテンツの総合的な状態を容易に把握することができる。
【００１２】
そして、ユーザは、第１及び第２画像制御手段による表示画像の差異、又は第２画像制御手段による補正前後の表示画像の差異を参考にして、コンテンツの階位やリンク状態を当該補正画像に合わせて変更する等の対処をすることで、適切且つ容易にサイトを管理・運営することができる。
【００１３】
なお、画像の「表示形態」とは、画像のデザイン（＝形状、色彩若しくは模様、又はこれらの組合せ）、画像の有無、画像の点滅等を意味している。また「デザイン」は静的なもののみならず、時間的に変化する動的なものも含まれる。サイトのリンク状態が反映された表示形態と、サイトのアクセス履歴が反映された表示形態とは区分して表示される。また、サイトのリンク状態が反映された表示形態は、リンク状態を表す項目ごとに区分して表示される。同様に、サイトのアクセス履歴が反映された表示形態は、アクセス履歴を表す項目ごとに区分して表示される。
【００１４】
本発明の構成要素であるＸが、Ｙとの通信に基づきＺを認識するとは、ＸがＹからＺを特定するデータを受信することや、ＸがＹからの受信データに基づきＺを決定、推定、測定したり、Ｙからの受信データに基づきデータベース等からＺを検索すること等を意味する。第１システム及び第２システムは本発明のコンテンツ管理システムとは別個のものであってもよく、本発明のコンテンツ管理システムに包含されていてもよい。
【００１５】
また、Ｘ及びＹがともに同一のコンピュータ等の装置の構成要素である場合、Ｘ及びＹの通信はこの装置内での通信を意味する。その一方、Ｘ及びＹがインターネット等のネットワークを介して通信可能に接続された別個の装置の構成要素である場合、Ｘ及びＹの通信とは、Ｘを構成要素とする装置と、Ｙを構成要素とする装置との当該ネットワークを介した通信を意味する。
【００１６】
さらに、本発明の構成要素であるＶが画像を画像表示装置に表示させるとは、Ｖが、Ｖを構成要素とするコンピュータ等の装置が有する画像表示装置に画像を表示させることや、Ｖが、画像データ、さらには必要に応じて画像表示用プログラムを、Ｖを構成要素とする装置とは別の装置にネットワークを介して送信し、当該別の装置が有する画像表示装置に画像を表示させること等を意味する。
【００１７】
また、本発明のサイト管理システムは、第１処理手段が、上位ディレクトリ内のコンテンツの階位が、該上位ディレクトリに従属する下位ディレクトリ内のコンテンツの階位よりも上位であり、且つ、ディレクトリの代表コンテンツの階位が、該ディレクトリ内の他のコンテンツの階位より上位であるという規則に従ってコンテンツの階位を認識することを特徴とする。
【００１８】
本発明によれば、ディレクトリの階位、代表コンテンツ及び非代表コンテンツの別に応じて、コンテンツの階位が認識される。このため、画像表示装置に表示される仮想空間における第１アイコンの位置を通じて、第１アイコンにより表されているコンテンツの属するディレクトリの階位等をユーザに視覚的に把握させることができる。
【００１９】
さらに、本発明のサイト管理システムは、第２画像制御手段が、前記画像補正内容を設定又は変更するためのユーザによる操作を可能とする第１操作用手段との通信に基づき、該第１操作用手段を通じて設定された画像補正内容を認識することを特徴とする。
【００２０】
本発明のサイト管理システムによれば、第２画像制御手段が、ユーザにより第１操作用手段を通じて設定された「画像補正内容」に従って補正した画像を、画像表示装置に表示させる。従って、ユーザが、第１操作用手段を通じて画像補正内容を設定することで、この画像補正内容に従って補正された画像を、画像表示装置を通じて把握することができる。これにより、ユーザは、画像補正内容に対応するコンテンツの総合的状態の変更が適切なものであるか否かを判断し、この判断に基づいてコンテンツの階位やリンク状態を変更する等の対処により、サイトを適切に管理することができる。
【００２１】
また、本発明のサイト管理システムは、第２画像制御手段による画像補正内容に従った補正画像を認定するためのユーザによる操作を可能とする第２操作用手段との通信に基づき、該第２操作用手段を通じた該画像の認容に応じて、第１システムとの通信に基づき、該第１システムにより管理されているコンテンツの階位及びリンク状態のうち一方又は両方を該補正画像に応じて補正する第４処理手段を備えていることを特徴とする。
【００２２】
本発明のサイト管理システムによれば、第４処理手段が、第２操作用手段を通じて、第２画像制御手段による表示補正画像が「認容」されたことに応じて、この補正画像に対応させて第１システムにより管理されている現実のコンテンツの階位やリンク状態を補正する。従って、ユーザは、第２操作用手段における認定により、第２画像制御手段による補正画像に応じたコンテンツの総合的状態の変更を許可又は禁止することができる。
【００２３】
さらに、本発明のサイト管理システムは、第２画像制御手段が、第２処理手段により所定コンテンツとのリンク経路を有しないというリンク状態が認識されるコンテンツを表す第１アイコン及び該コンテンツのリンクを表す第２アイコンの表示形態を、該コンテンツが該所定コンテンツとのリンク経路を有するというリンク状態に応じた表示形態に変更するという内容を、前記画像補正内容として認識することを特徴とする。
【００２４】
本発明のサイト管理システムによれば、所定コンテンツとのリンク経路がないコンテンツを表す第１アイコン及び該コンテンツのリンクを表す第２アイコンのうち一方又は両方の表示形態が、当該リンク経路があるというリンク状態に応じた表示形態に変更される。コンテンツと所定コンテンツとの「リンク経路」とは、当該コンテンツと所定コンテンツとの直接的なリンクのほか、一又は複数のコンテンツとのリンクを含む、当該コンテンツと所定コンテンツとの間のリンクの連鎖を意味する。
【００２５】
従って、ユーザは、第１及び第２画像制御手段による表示画像の差異、又は第２画像制御手段による補正前後の表示画像の差異を把握することで「所定コンテンツ」とのリンク経路がないコンテンツに当該リンク経路を持たせるには、当該コンテンツの階位やリンク状態をどのように変更すればよいかを具体的に把握することができる。
【００２６】
また、本発明のサイト管理システムは、第２画像制御手段が、第１処理手段により認識される階位が最上のコンテンツを前記所定コンテンツとして認識することを特徴とする。
【００２７】
本発明のサイト管理システムによれば、ユーザは第１及び第２画像制御手段による表示画像の差異、又は第２画像制御手段による補正前後の表示画像の差異を把握することで「第１位コンテンツ」とのリンク経路がないコンテンツに当該リンク経路を持たせるには、当該コンテンツの階位やリンク状態をどのように変更すればよいかを具体的に把握することができる。
【００２８】
さらに、本発明のサイト管理システムは、第２画像制御手段が、コンテンツを指定するためのユーザによる操作を可能とする第３操作用手段との通信に基づき、第３操作用手段を通じて指定されるコンテンツを前記所定コンテンツとして認識することを特徴とする。
【００２９】
本発明のサイト管理システムによれば、ユーザは、第３操作用手段を通じて所定コンテンツを指定することができる。また、ユーザは、第１及び第２画像制御手段による表示画像の差異、又は第２画像制御手段による補正前後の表示画像の差異を把握することで「指定コンテンツ」とのリンク経路がないコンテンツに当該リンク経路を持たせるには、当該コンテンツの階位やリンク状態をどのように変更すればよいかを具体的に把握することができる。
【００３０】
また、本発明のサイト管理システムは、第２画像制御手段が、第３処理手段によりアクセス履歴として認識されるアクセス頻度が相対的に高いコンテンツを表す第１アイコンの位置を、上位位置に変更するという内容を、前記画像補正内容として認識することを特徴とする。
【００３１】
本発明のサイト管理システムによれば、第２画像制御手段が、アクセス頻度が相対的に高いコンテンツを表す第１アイコンの位置が、上位位置に変更された画像を画像表示装置に表示させる。従って、ユーザは、第１及び第２画像制御手段による表示画像の差異、又は第２画像制御手段による補正前後の表示画像の差異を把握することでアクセス頻度が相対的に高いコンテンツの階位を上げるには、そのリンク状態をどのように変更すればよいか等を具体的に把握することができる。
【００３２】
さらに、本発明のサイト管理システムは、第１システムとの通信に基づき、一のコンテンツの情報と、他のコンテンツの情報との関連の強弱を表す情報関連度を認識する第５処理手段を備え、第２画像制御手段が、第５処理手段により認識された情報関連度が相対的に高い２つのコンテンツを表す第１アイコン及び該コンテンツのリンクを表す第２アイコンの表示形態を、該２つのコンテンツのリンク経路が増加された、又は該２つのコンテンツのリンク経路に含まれるリンク数が減少されたというリンク状態に応じた表示形態に変更するという内容を、前記画像補正内容として認識することを特徴とする。
【００３３】
本発明のサイト管理システムによれば、第５処理手段が、異なるコンテンツの情報間の関連の強弱を表す「情報関連度」を認識する。また、第２画像制御手段が、情報関連度が相対的に高い２つのコンテンツを表す第１アイコンやそのリンクを表す第２アイコンの表示形態が、これらコンテンツのリンク経路が増加された又はこのリンク経路に含まれるリンク数が減少されたというリンク状態に応じた表示形態に変更された画像を画像表示装置に表示させる。
【００３４】
従って、ユーザは、第１及び第２画像制御手段による表示画像の差異、又は第２画像制御手段による補正前後の表示画像の差異を把握することで、情報関連度が相対的に高いコンテンツのリンクを容易にするためには、そのコンテンツの階位やリンク状態をどのように変更すればよいか等を具体的に把握することができる。
【００３５】
前記課題を解決するための本発明のサイト管理プログラムは、コンテンツが管理されている第１システムとの通信に基づき、コンテンツの階位を認識する第１処理機能と、コンテンツが管理されている第２システムとの通信に基づき、該コンテンツのリンク状態を認識する第２処理機能と、コンテンツへのアクセス履歴を特定するアクセスログ情報が管理されている第３システムとの通信に基づき、コンテンツへのアクセス履歴を認識する第３処理機能と、第１処理機能により認識されたコンテンツの階位が該コンテンツを表す第１アイコンの仮想空間における位置に反映され、第２処理機能により認識されたコンテンツのリンク状態が該コンテンツを表す第１アイコン及び該コンテンツのリンクを表す第２アイコンのうち一方又は両方の表示形態に反映され、且つ、第３処理機能により認識されたコンテンツへのアクセス履歴が該コンテンツを表す第１アイコン及び該コンテンツのリンクを表す第２アイコンのうち一方又は両方の表示形態に反映された画像を、画像表示装置に表示させる第１画像制御機能と、画像補正内容を認識した上で、該画像補正内容に従って、第１アイコンの位置と、コンテンツのリンク状態に応じた第１及び第２アイコンのうち一方又は両方の表示形態とのうち一方又は両方が補正された画像を画像表示装置に表示させる第２画像制御機能とをインストール先のコンピュータに付与することを特徴とする。
【００３６】
本発明のサイト管理プログラムによれば、前記サイト管理システムと同様に、ユーザは、第１及び第２画像制御手段による表示補正画像との差異、又は第２画像制御手段による補正前後の表示画像の差異を参考にして、コンテンツの階位やリンク状態を当該補正画像に合わせて変更する等の対処をすることで、適切且つ容易にサイトを管理・運営することができる。
【発明を実施するための最良の形態】
【００３７】
本発明のサイト管理システム及びサイト管理プログラムの実施形態について図面を用いて説明する。
【００３８】
図１は本発明の一実施形態におけるサイト管理システムの構成説明図であり、図２〜図１０は本発明の一実施形態におけるサイト管理システムの機能説明図である。
【００３９】
まず、本発明の一実施形態におけるサイト管理システムの構成について、図１を用いて説明する。
【００４０】
図１に示すサイト管理システムは、インターネットに接続され、「サイト管理プログラム」がインストールされたサイト管理コンピュータ１００により構成されている。インターネットには、ウェブページ等のコンテンツを管理するウェブサーバ（第１システム、第２システム）２１０と、コンテンツへのアクセスログ情報を管理するログサーバ（第３システム）２２０と、コンテンツにアクセスして閲覧する機能等を備えたコンピュータ２３０が接続されている。
【００４１】
サイト管理コンピュータ１００は、ディスプレー（画像表示装置）１０１と、マウス１０２と、キーボード１０３と、第１処理ユニット１１１と、第２処理ユニット１１２と、第３処理ユニット１１３と、第４処理ユニット１１４と、第１画像制御ユニット１２１と、第２画像制御ユニット１２２とを備えている。各ユニットの機能は、サイト管理コンピュータ１００が、サイト管理プログラムから付与されたものである。また、各ユニットは、ＣＰＵ、ＲＯＭ、ＲＡＭ、その他の回路等により構成されている。
【００４２】
ディスプレー１０１には、第１画像制御ユニット１２１及び第２画像制御ユニット１２２により画像が表示される。
【００４３】
マウス１０２及びキーボード１０３は、単独で又は共同で本発明の「第１操作用手段」「第２操作用手段」及び「第３操作用手段」を構成し、ユーザによる種々の操作を可能とする。
【００４４】
第１処理ユニット１１１は、ウェブサーバ（第１システム）２１０との通信に基づき、一定の内容に従って、ウェブサーバ２１０により管理されている各コンテンツの「階位」を認識する。
【００４５】
第２処理ユニット１１２は、ウェブサーバ（第２システム）２１０との通信に基づき、ウェブサーバ２１０により管理されている各コンテンツの「リンク状態」を認識する。リンク状態は、リンクの有無、リンク経路の有無、リンク経路に含まれるリンク数、リンク経路数、リンク方向等により特定される。
【００４６】
第３処理ユニット１１３は、ログサーバ２２０との通信に基づき、このログサーバ２２０により管理されている各コンテンツへの「アクセス履歴（アクセスログ情報）」を認識する。アクセス履歴は、アクセス頻度、アクセス回数、アクセス継続時間等により特定される。
【００４７】
第４処理ユニット１１４は、第２画像制御ユニット１２２による表示画像のユーザによる認容に応じて、ウェブサーバ２１０との通信に基づき、そのウェブサーバ２１０により管理されているコンテンツの「階位」及び「リンク状態」のうち一方又は両方を補正する。
【００４８】
第１画像制御ユニット１２１は、第１処理ユニット１１１、第２処理ユニット１１２及び第３処理ユニット１１３による認識事項に応じた画像をディスプレー１０１に表示させる。
【００４９】
第２画像制御ユニット１２２は「画像補正内容」を認識した上で、この画像補正内容に従った補正画像をディスプレー１０１に表示させる。
【００５０】
ウェブサーバ２１０は、ウェブページ等のコンテンツを管理するコンテンツ管理ユニット２１２を備えている。
【００５１】
ログサーバ２２０は、ログ解析ユニット２２１と、アクセスログ情報を管理するログ情報管理ユニット２２２とを備えている。ログ解析ユニット２２１は、ウェブサーバ２１０に対するアクセスログをこのウェブサーバ２１０から取得し、当該アクセスログを蓄積してアクセスログ情報を構築する。ログ情報管理ユニット２２２は、ログ解析ユニット２２１により構築されたアクセスログ情報を管理する。
【００５２】
前記構成のサイト管理システムの機能について図２〜図９を用いて説明する。
【００５３】
まず、サイト管理コンピュータ２１０での所定アプリケーションの起動に応じて、サイト管理コンピュータ１００からトリガとなるデータやプログラムがウェブサーバ２１０に送信される。続いて、ウェブサーバ２１０が、データに応じて、或いはこのプログラムにより付与された機能の発揮により、コンテンツ管理ユニット２１２からコンテンツ情報を取り出した上で、これをサイト管理コンピュータ１００に送信する（図２矢印Ａ１）。
【００５４】
「コンテンツ情報」はＨＴＭＬにより記述されており、コンテンツのインターネット上の存在場所（ＵＲＬ）や、コンテンツにリンクされている他のコンテンツ等の情報を含んでいる。
【００５５】
次に、第１処理ユニット１１１が、サイト管理コンピュータ１００に送信されてきたコンテンツ情報に基づき「コンテンツがどのディレクトリに存在しているか」ということと、「コンテンツがディレクトリの代表コンテンツであるか否か」ということ等を認識する。また、第１処理ユニット１１１は、当該認識に基づき、一定の規則に従ってコンテンツの「階位」を認識する（図２／Ｓ１）。
【００５６】
この「規則」は、上位ディレクトリ内のコンテンツの階位が、この上位ディレクトリに従属する下位ディレクトリ内のコンテンツの階位よりも上位であり、且つ、ディレクトリの代表コンテンツの階位が、このディレクトリ内の他のコンテンツの階位より上位であるという内容である。
【００５７】
この内容の理解のため、図３（ａ）に示すように、第１位コンテンツ（トップページ）であるコンテンツＡ(URL:http://xx/index.html)と、コンテンツＢ(URL:http://xx/1.html)と、コンテンツＣ(URL:http://xx/2.html)とが同一のディレクトリに存在する場合の各コンテンツの階位を考える。ＵＲＬが「index.html」で記述されているコンテンツＡが当該ディレクトリの「代表コンテンツ」となる。
【００５８】
この場合、コンテンツＢ及びＣは、コンテンツＡと同一のディレクトリに存在しながら、非代表コンテンツ（ＵＲＬが「index.html」で記述されていないコンテンツ）なので、コンテンツＡよりも「１位」だけ下位となる。従って、第１位コンテンツであるコンテンツＡが第１位であり、コンテンツＢ及びＣは第２位となる。
【００５９】
また、図３（ｂ）に示すように、第１位コンテンツであるコンテンツＡ(URL:http://xx/index.html)が上位ディレクトリに存在し、コンテンツＢ’(URL:http://xx/yy/index.html)と、コンテンツＣ(URL:http://xx/2.html)とがともに１位だけ下位のディレクトリに存在する場合の各コンテンツの階位を考える。URLが「index.html」で記述されているコンテンツＡ及びＢがそれぞれ上位及び下位ディレクトリの「代表コンテンツ」となる。
【００６０】
この場合、コンテンツＢ’及びＣは、ともにコンテンツＡよりも１位だけ下位のディレクトリに存在するので、コンテンツＡよりも「１位」だけ下位となる。また、下位ディレクトリにおいて、コンテンツＢ’が代表コンテンツである一方、コンテンツＣは非代表コンテンツなので、コンテンツＣはコンテンツＢ’よりも「１位」だけ下位となる。従って、第１位コンテンツであるコンテンツＡが第１位であり、コンテンツＢ’は第２位、コンテンツＣが第３位となる。
【００６１】
また、第２処理ユニット１１２が、サイト管理コンピュータ１００に送信されてきたコンテンツ情報に基づき、コンテンツの「リンク状態」を認識する（図２／Ｓ１０２）。
【００６２】
リンク状態には、コンテンツ間の「リンクの有無」と、各コンテンツと第１位コンテンツとの「リンク経路の有無」と、コンテンツ間の「リンク方向」と、コンテンツ間のリンクが、上位、下位及び同位コンテンツのうちいずれへのリンクであるかということと、コンテンツ間のリンクがフレーム（＝一のコンテンツが閲覧されるときに同時に他のコンテンツ（フレームページ等）も閲覧されるというリンク）であるかということとが含まれる。
【００６３】
さらに、サイト管理コンピュータ２１０における前記アプリケーションの起動に応じて、サイト管理コンピュータ１００からトリガとなるデータやプログラムがログサーバ２２０に送信される。続いて、ログサーバ２２０が、データに応じて、或いはこのプログラムにより付与された機能の発揮により、ログ情報管理ユニット２２２からアクセスログ情報を取り出した上で、これをサイト管理コンピュータ１００に送信する（図２矢印Ａ２）。
【００６４】
ログ情報管理ユニット２２２により管理されているアクセスログ情報は、ログ解析ユニット２２１が、ウェブサーバ２１０に対する「アクセスログ」を当該ウェブサーバ２１０から受信し（図２矢印ａ２）、このアクセスログを蓄積して構築したものである。アクセスログ情報には、アクセスされた各コンテンツのＵＲＬ、アクセス開始時刻（ＩＮ）等の情報が含まれている。
【００６５】
続いて、第３処理ユニット１１３が、サイト管理コンピュータ１００に送信されてきたアクセスログ情報に基づき、各コンテンツの「アクセス履歴」を認識する（図２／Ｓ１０３）。このとき、第３処理ユニット１１３が、当該アクセスログ情報に基づき、アクセス終了時刻（ＯＵＴ）を推定（認識）する。アクセス履歴には、図４に示すようにアクセスされた各コンテンツのＵＲＬ、アクセス開始時刻（ＩＮ）、アクセス終了時刻（ＯＵＴ）等の情報が含まれている。
【００６６】
アクセス履歴は、各コンテンツへのアクセス頻度が含まれている。アクセス頻度は、アクセス回数や、１回あたりのアクセス継続平均時間そのもの、或いはアクセス回数が多くなるほど、アクセス継続平均時間が長くなるほど大きく算出されるパラメータによって表される。
【００６７】
次に、第１画像制御ユニット１２１が「第１の画像制御処理」を実行する（図２／Ｓ４）。具体的には、第１画像制御ユニット１２１が、第１処理ユニット１１１により認識されたコンテンツの「階位」と、第２処理ユニット１１２により認識されたコンテンツの「リンク状態」と、第３処理ユニット１１３により認識されたコンテンツの「アクセス履歴」とを反映させた画像を、ディスプレー１０１に表示させる。
【００６８】
続いて、第２画像制御ユニット１２２が、ユーザによりマウス（第１操作用手段）１０２を通じて設定された「画像補正内容」を認識する（図２／Ｓ５）。この上で、第２画像制御ユニット１２２が「第２の画像制御処理」を実行する（図２／Ｓ６）。具体的には、第２画像制御ユニット１２２が、この画像補正内容に従って、ディスプレー１０１における表示画像を補正する。
【００６９】
その後、第４処理ユニット１１４が、ユーザによりマウス（第２操作用手段）１０２を通じて第２画像制御ユニット１２２による補正画像の認容・否定を判断する（図２／Ｓ７）。そして、第４処理ユニット１１４が、ユーザにより補正画像が認容されたと判断した場合（図２／Ｓ７でＹＥＳ）、階位等の「補正処理」を実行する（図２／Ｓ８）。具体的には、第４処理ユニット１１４が、ウェブサーバ２１０との通信（図２／両矢印Ａ３）に基づき、補正画像に応じてウェブサーバ２１０に置かれているコンテンツの階位やリンク状態を補正する。
【００７０】
ここで、第１画像制御ユニット１２１により、ディスプレー１０１に表示される画像について、図５を用いて説明する。
【００７１】
ディスプレー１０１において、各コンテンツは球状の第１アイコンＱ，Ｑ１，・・により表されている。
【００７２】
ディレクトリの「代表コンテンツ」及び「非代表コンテンツ」の別は、当該コンテンツを表す第１アイコンの色彩により表されている。具体的には、第１アイコンＱ，Ｑ２〜Ｑ６，Ｑ５３，Ｑ６１に「青色（図中黒色）」が付されることで、これら第１アイコンにより表されているコンテンツがそれぞれ「代表コンテンツ」であることが表されている。また、第１アイコンＱ２１，Ｑ２２，Ｑ２３，Ｑ３１，Ｑ３２，Ｑ３３，Ｑ５１，Ｑ５２，Ｑ６２，Ｑ６３，Ｑ５３１〜Ｑ５３７に「白色」が付されることで、これらの第１アイコンにより表されているコンテンツがそれぞれ「非代表コンテンツ」であることが表されている。
【００７３】
各コンテンツの「階位」は、第１アイコンＱ，Ｑ１，・・の「仮想的な３次元空間における位置」により表されている。具体的には、第１アイコンＱが全第１アイコンの中で最も上に位置されていることで、第１アイコンＱにより表されているコンテンツが第１位コンテンツ（トップページ）であることが表されている。また、第１アイコンＱ１〜Ｑ６が第１位コンテンツを表す第１アイコンＱより２階位分だけ低く位置していることで、これら第１アイコンにより表されているコンテンツがそれぞれ第３位コンテンツであることが表されている。さらに、第１アイコンＱ１１〜Ｑ１５，Ｑ２１〜Ｑ２３，Ｑ３１〜Ｑ３３，Ｑ５１〜Ｑ５３，Ｑ６１〜Ｑ６３が、第３位コンテンツを表す第１アイコンＱ１〜Ｑ６より１階位分だけ低く位置していることで、これら第１アイコンにより表されているコンテンツが第４位コンテンツであることが表されている。また、Ｑ５３１〜Ｑ５３７を表す第１アイコンが、第４位コンテンツを表す第１アイコンＱ１１〜Ｑ１５，Ｑ２１〜Ｑ２３，Ｑ３１〜Ｑ３３，Ｑ５１〜Ｑ５３，Ｑ６１〜Ｑ６３より１階位分だけ低く位置していることで、これら九対により表されているコンテンツが第５位コンテンツであることが表されている。
【００７４】
コンテンツ間の「リンク状態」は、第１アイコンや、第１アイコンを連結する矢印形状の第２アイコンの表示形態により表されている。
【００７５】
具体的には、リンクの行先に他のコンテンツが存在しないことが、リンク元のコンテンツを表す第１アイコンから伸びる矢印形状の第２コンテンツに「赤色」が付されることにより表されている。具体的には、第１アイコンＱから右斜め下方に伸びる第２アイコンＰ０に「赤色」が付されることにより、第２アイコンＰ０により表されているリンクの行先となるコンテンツが存在しないことが表されている。
【００７６】
コンテンツ間の「リンクの有無」は、第１アイコンを結ぶ矢印形状の第２アイコンの有無により表されている。第１アイコンＱ及びＱ２を連結する矢印形状の第２アイコンＰ１及びＰ２が表示されていることにより、第１アイコンＱ及びＱ２によりそれぞれ表されているコンテンツがリンクされていることが表されている。一方、第１アイコンＱ及びＱ１を結ぶ第２アイコンが表示されていないことにより、第１アイコンＱ及びＱ１により表されるコンテンツがリンクされていないことが表されている。
【００７７】
あるコンテンツと、第１位コンテンツとの「リンク経路」の有無は、当該コンテンツを表す第１アイコンの色彩により表されている。具体的には、第１アイコンＱ１，Ｑ１１〜Ｑ１５に「赤色（図中斜線）」が付されることで、これら第１アイコンにより表されているコンテンツと、第１位コンテンツとのリンク経路がないことが表されている。
【００７８】
コンテンツ間の「リンク方向」は、当該コンテンツを表す第１アイコンを結ぶ矢印形状の第２アイコンの当該矢印の向きにより表されている。第１アイコンＱ及び第１アイコンＱ２が、第１アイコンＱから第１アイコンＱ２に向かう矢印形状の第２アイコンＰ１により結ばれることで、第１アイコンＱにより表されるコンテンツから、第１アイコンＱ２により表されるコンテンツへの移動が可能であることが表されている。また、第１アイコンＱ及び第１アイコンＱ２が、第１アイコンＱ２から第１アイコンＱに向かう矢印形状の第２アイコンＰ２により結ばれることで、第１アイコンＱ２により表されるコンテンツから、第１アイコンＱにより表されるコンテンツへの移動が可能であることが表されている。
【００７９】
あるコンテンツからのリンクが、上位、下位及び同位コンテンツのうちいずれへのリンクであるかということは、矢印形状の第２アイコンの色彩により表されている。具体的には、第１アイコンＱから第１アイコンＱ２に向かう矢印形状の第２アイコンＰ１に「水色」が付されることで、矢印形状の第２アイコンＰ１により表されているリンクが「下位コンテンツへのリンク」であることが表現されている。また、第１アイコンＱ２から第１アイコンＱに向かう矢印形状の第２アイコンＰ２に「黄色」が付されることで、矢印形状の第２アイコンＰ２により表されているリンクが「上位コンテンツへのリンク」であることが表現されている。さらに、第１アイコンＱ５３１から第１アイコンＱ５３５に向かう矢印形状の第２アイコンＰ３に「黒色」が付されることで、矢印形状の第２アイコンＰ３により表されているリンクが「同位コンテンツへのリンク」であることが表現されている。
【００８０】
コンテンツ間のリンクが、フレーム（＝一のコンテンツが閲覧されるときに同時に他のコンテンツ（フレームページ等）も閲覧されるというリンク）であることが、当該コンテンツを表す第１アイコンを結ぶ棒状の第２アイコンの色彩により表現されている。具体的には、第１アイコンＱ２及び第１アイコンＱ２２とを結ぶ棒状の第２アイコンＰ４に「緑色」が付されることで、第１アイコンＱ２及びＱ２２により表されているコンテンツ間のリンクがフレームであることが表現されている。
【００８１】
コンテンツが、第１アイコンとしてディスプレー１０１に表示されていない外部コンテンツとの外部リンクを有することが、コンテンツに付された直線状の第２アイコンの色彩により表されている。具体的には、第１アイコンＱ６の上方に向かう直線状の第２アイコンＰ５に「紫色」が付されることにより、第１アイコンＱ６により表されているコンテンツが外部リンクを有することが表されている。なお、外部リンクには、外部リンクからのリンクと、外部リンクへのリンクとが含まれており、それぞれを表す第２アイコン（図示略）が異なる色彩が付される等、視覚的に識別可能にディスプレー１０１に表示されてもよい。
【００８２】
コンテンツへのアクセス頻度の高低が、当該コンテンツを表す第１アイコンの大小により表されている。具体的には、第１アイコンＱ６が第１アイコンＱ３より大径の第１アイコンとして表現されることにより、第１アイコンＱ６により表されているコンテンツのアクセス頻度が、第１アイコンＱ３により表されているコンテンツのアクセス頻度より高いことが表されている。
【００８３】
また、第１アイコンがクリックされることで、当該第１アイコンにより表されているコンテンツに関する情報がディスプレー１０２に表示されてもよい。図５では、第１アイコンＱ６がクリックされ、第１アイコンＱ６により表されているコンテンツに関する情報（○○・・、●●・・）が、第１アイコンＱ６の右側に表示されている。
【００８４】
さらに、第１アイコンがクリックされることで、当該第１アイコンにより表されているコンテンツそのものがディスプレー１０２に表示されてもよい。
【００８５】
次に、ユーザによりマウス１０２の操作に応じて、第２画像制御ユニット１２２によりディスプレー１０１に表示される画像について図５〜図８を用いて説明する。
【００８６】
図５に示す状態で、ユーザが第１アイコンＱ及びＱ１をクリックした後、ディスプレー１０１に表示される（ダイアログボックスの中に表示されている）ボタン（図示略）をクリックする。この操作により「第１アイコンＱから第１アイコンＱ１に向かう矢印形状の第２アイコンを表示する」という画像補正内容が設定され、第２画像制御ユニット１２２が（マウス１０２との通信に基づき）この画像補正内容を認識する（図２／Ｓ５参照）。また、この画像補正内容は「第１アイコンＱにより表されるコンテンツから、第１アイコンＱ１により表されるコンテンツへのリンクを設ける」というリンク状態の補正に対応している。
【００８７】
そして、第２画像制御ユニット１２２が、この画像補正内容に従って、図６に示すように第１アイコンＱから第１アイコンＱ１に向かう水色が付された矢印形状の第２アイコンＰ６をディスプレー１０１に表示させる（図２／Ｓ６参照）。また、第１アイコンＱ１及びこれにリンクされた第１アイコンＱ１１〜Ｑ１５により表されるコンテンツは、第１アイコンＱにより表される第１位コンテンツとのリンク経路を（この時点では仮想的に）有することになる。従って、第２画像制御ユニット１２２が、第１アイコンＱ１及びＱ１１〜Ｑ１５から「赤色（図５斜線参照）」を消し、代表コンテンツを表す第１アイコンＱ１に「青色（図５黒色参照）」を付し、非代表コンテンツを表す第１アイコンＱ１１〜Ｑ１５に「白色」を付す（図２／Ｓ６参照）。
【００８８】
この状態で、ユーザがマウス１０２を通じてディスプレー１０１に表示されているボタン（図示略）をクリックすると、補正画像が認容されたことになり（図２／Ｓ７でＹＥＳ）、第４処理ユニット１１４が「補正処理」を実行する（図２／Ｓ８参照）。具体的には、第４処理ユニット１１４が「第１アイコンＱにより表されるコンテンツから第１アイコンＱ１により表されるコンテンツへのリンクを設ける（＝第１アイコンＱ１及びＱ１１〜Ｑ１５により表されるコンテンツに、第１アイコンＱにより表される第１位コンテンツとのリンク経路を設ける）」というように、第１アイコンＱ，Ｑ１，Ｑ１１〜Ｑ１５等により表されるコンテンツのリンク状態を補正する。
【００８９】
なお、第４処理ユニット１１４により自動的にリンク状態が補正されるほか、例えば、ボタンがクリックされた後でアプリケーションが起動され、ユーザがこのアプリケーションを使用してコンテンツ（ウェブページ）へリンクを追加し、且つ、リンク名等を補正することによってリンク状態が補正されてもよい。
【００９０】
一方、ユーザがマウス１０２を通じて他のボタン（図示略）をクリックすると、補正画像が拒否されたことになり（図２／Ｓ７でＮＯ）、第４処理ユニット１１４による「補正処理」は実行されない。
【００９１】
また、図５に示す状態で、ユーザが第１アイコンＱ１，Ｑ１１〜Ｑ１５を指定した上でクリックした後、ディスプレー１０１に表示されているボタンをクリックし、さらに第１アイコンＱ１が第２位位置、第１アイコンＱ１１〜Ｑ１５が第３位位置にくるようにこれら第１アイコンＱ１，Ｑ１１〜Ｑ１５をまとめて移動させる（図７は線矢印参照）。この上で、ユーザが第１アイコンＱ及びＱ１をクリックした後、ディスプレー１０１に表示されているボタンをクリックする。
【００９２】
これらの操作により「第１アイコンＱ１を第２位位置に移動させ、第１アイコンＱ１１〜Ｑ１５を第３位位置に移動させる」とともに「第１アイコンＱから第１アイコンＱ１に向かう矢印形状の第２アイコンを表示する」という画像補正内容が設定され、第２画像制御ユニット１２２がこの画像補正内容を認識する（図２／Ｓ５参照）。また、この画像補正内容は「第１アイコンＱ１により表されるコンテンツの階位を第２位とし、第１アイコンＱ１１〜Ｑ１５により表されるコンテンツの階位を第３位にする」とともに「第１アイコンＱにより表されるコンテンツから、第１アイコンＱ１により表されるコンテンツへのリンクを設ける」という階位及びリンク状態の補正に対応している。
【００９３】
そして、第２画像制御ユニット１２２が、この画像補正内容に従って、図７に示すように第１アイコンＱ１を第２位位置に移動させ、第１アイコンＱ１１〜Ｑ１５を第３位位置に移動させるとともに、第１アイコンＱから第１アイコンＱ１に向かう矢印形状の第２アイコンＰ７をディスプレー１０１に表示させる（図２／Ｓ６参照）。また、第１アイコンＱ１及びこれにリンクされた第１アイコンＱ１１〜Ｑ１５により表されるコンテンツは、第１アイコンＱにより表される第１位コンテンツとのリンク経路を（この時点では仮想的に）有することになる。従って、第２画像制御ユニット１２２が、第１アイコンＱ１及びＱ１１〜Ｑ１５から「赤色（図５斜線参照）」を消し、代表コンテンツを表す第１アイコンＱ１に「青色（図中黒色）」を付し、非代表コンテンツを表す第１アイコンＱ１１〜Ｑ１５に「白色」を付す（図２／Ｓ６参照）。
【００９４】
この状態で、ユーザがマウス１０２を通じてディスプレー１０１に表示されているボタンをクリックすると、補正画像が認容されたことになり（図２／Ｓ７でＹＥＳ）、第４処理ユニット１１４が「補正処理」を実行する（図２／Ｓ８参照）。具体的には、第４処理ユニット１１４が「第１アイコンＱ１により表されるコンテンツの階位を第２位とし、第１アイコンＱ１１〜Ｑ１５により表されるコンテンツの階位を第３位にする」とともに「第１アイコンＱにより表されるコンテンツから、第１アイコンＱ１により表されるコンテンツへのリンクを設ける（＝第１アイコンＱ１及びＱ１１〜Ｑ１５により表されるコンテンツに、第１アイコンＱにより表される第１位コンテンツとのリンク経路を設ける）」というように、第１アイコンＱ，Ｑ１，Ｑ１１〜Ｑ１５等により表されるコンテンツの階位及びリンク状態を補正する。
【００９５】
さらに、図７に示す状態で、ユーザが第１アイコンＱ５３１〜Ｑ５３７を指定した後、ディスプレー１０１に表示されているボタン（図示略）をクリックする。また、ユーザが第１アイコンＱ５３１〜Ｑ５３７が第６位位置にくるように指定した第１アイコンＱ５３１〜Ｑ５３７をまとめて移動させる（図８破線矢印参照）。この上で、ユーザが第１アイコンＱ５３１をクリックした後、ディスプレー１０１に表示されているボタン（図示略）をクリックする。
【００９６】
これらの操作により「第１アイコンＱ５３１〜Ｑ５３７を第６位位置に移動させ」且つ「第１アイコンＱ５３１に青色を付する」という画像補正内容が設定され、第２画像制御ユニット１２２がこの画像補正内容を認識する（図２／Ｓ５参照）。また、この画像補正内容は「第１アイコンＱ５３１〜Ｑ５３７により表されるコンテンツの階位を第６位とし」且つ「第１アイコンＱ５３１により表されるコンテンツを代表コンテンツとする（＝第１アイコンＱ５３１により表される代表コンテンツの階位を、第１アイコンＱ５３２〜Ｑ５３７により表される非代表コンテンツの階位よりも１位だけ高くする）」という階位及びリンク状態の補正に対応している。
【００９７】
そして、第２画像制御ユニット１２２が、この画像補正内容に従って、まず、第１アイコンＱ５３１〜Ｑ５３７をまとめて第６位位置に移動させる。また、第２画像制御ユニット１２２が、図８に示すように、非代表コンテンツを表す第１アイコンＱ５３２〜Ｑ５３７よりも１位だけ高い第５位位置に移動させる。さらに、第２画像制御ユニット１２２が、代表コンテンツを表す第１アイコンＱ５３１に「青色（図８黒色参照）」を付すとともに、第１アイコンＱ５３２〜Ｑ５３７に「白色」を付す（図２／Ｓ６参照）。
【００９８】
この状態で、ユーザがマウス１０２を通じてディスプレー１０１に表示されているボタン（図示略）をクリックすると、補正画像が認容されたことになり（図２／Ｓ７でＹＥＳ）、第４処理ユニット１１４が「補正処理」を実行する（図２／Ｓ８参照）。具体的には、第４処理ユニット１１４が「第１アイコンＱ５３１〜Ｑ５３７により表されるコンテンツの階位を第６位とし」且つ「第１アイコンＱ５３１により表されるコンテンツを代表コンテンツとし（＝第１アイコンＱ５３１により表される代表コンテンツの階位を、第１アイコンＱ５３２〜Ｑ５３７により表される非代表コンテンツの階位よりも１位だけ高くする）」というように、第１アイコンＱ５３１〜Ｑ５３７等により表されるコンテンツの階位を補正する。
【００９９】
前記機能を発揮する本発明のサイト管理システムによれば、ユーザは、ディスプレー１０１に表示された画像を通じて、サイトに置かれたコンテンツの階位、リンク状態、アクセス履歴により表されるコンテンツの総合的状態を容易に認識することができる。
【０１００】
具体的には、ユーザは、第１アイコンの位置に応じて、当該第１アイコンにより表されているコンテンツの階位を把握することができる。例えば、ユーザは、第１アイコンＱが第１位コンテンツを表しており、第１アイコンＱ１〜Ｑ６が第３位コンテンツを表していることを把握することができる。
【０１０１】
また、ユーザは、第１アイコンに「青色」及び「白色」のいずれが付されているかに応じ、当該第１アイコンにより表されているコンテンツがディレクトリの「代表コンテンツ」及び「非代表コンテンツ」のいずれであるかを把握することができる。例えば、ユーザは、青色が付されている第１アイコンＱ４等が代表コンテンツを表しており、白色が付されている第１アイコンＱ６３等が非代表コンテンツであることを把握することができる。
【０１０２】
さらに、ユーザは、第１アイコンに「赤色」が付されているか否かに応じて、当該第１アイコンにより表されているコンテンツと、第１位コンテンツとのリンク経路の有無を把握することができる。例えば、ユーザは、赤色が付されている第１アイコンＱ１，Ｑ１１〜Ｑ１５により表されているコンテンツが、第１アイコンＱにより表されている第１位コンテンツとのリンク経路がないことを把握することができる。
【０１０３】
また、ユーザは、第２アイコンに「赤色」が付されていることにより、当該第２アイコンにより表されているリンクの行先となるコンテンツが存在しないことを視覚的に把握することができる。例えば、ユーザは、第１アイコンＱから右斜め下方に伸びる第２アイコンＰ０に「赤色」が付されることにより、第２アイコンＰ０により表されているリンクの行先となるコンテンツが存在しないことを把握することができる。
【０１０４】
また、ユーザは、矢印形状の第２アイコンの当該矢印の向きに応じて、コンテンツの「リンク方向」を把握することができる。例えば、ユーザは、第１アイコンＱと第１アイコンＱ３とを結ぶ矢印形状の第２アイコンの矢印の向きに応じて、第１アイコンＱにより表されているコンテンツから、第１アイコンＱ３により表されているコンテンツへのアクセスが可能である一方、その逆のアクセスは不可能であることを把握することができる。
【０１０５】
さらに、ユーザは、第１アイコンを結ぶ矢印形状の第２アイコンに「水色」「黄色」及び「黒色」のいずれが付されているかに応じて、第２アイコンにより表されているリンクが上位、下位及び同位コンテンツのうちいずれへのリンクであるかを把握することができる。例えば、ユーザは、第１アイコンＱから第１アイコンＱ２に向かう矢印形状の第２アイコンＰ１に「水色」が付されていることに応じて、矢印形状の第２アイコンＰ１により表されているリンクが「下位コンテンツへのリンク」であることを把握することができる。また、ユーザは、第１アイコンＱ２から第１アイコンＱに向かう矢印形状の第２アイコンＰ２に「黄色」が付されていることに応じて、矢印形状の第２アイコンＰ２により表されているリンクが「上位コンテンツへのリンク」であることを把握することができる。さらに、ユーザは、第１アイコンＱ５３１と第１アイコンＱ５３５とを連結する第２アイコンＰ３に「黒色」が付されていることに応じて、矢印形状の第２アイコンＰ３により表されているリンクが「同位コンテンツへのリンク」であることを把握することができる。
【０１０６】
また、ユーザは「緑色」が付されている棒状の第２アイコンにより第１アイコンが結びつけられていることに応じて、当該線により表されているリンクが「フレーム」であることを把握することができる。例えば、ユーザは、第１アイコンＱ２と第１アイコンＱ２２とを結ぶ棒状の第２アイコンＰ４に「緑色」が付されていることを通じて、第２アイコンＰ４により表されているリンクがフレームであり、第１アイコンＱ２により表されているコンテンツが閲覧されるとき、第１アイコンＱ２２により表されているコンテンツも同時に閲覧可能であることを把握することができる。
【０１０７】
さらに、ユーザは、第１アイコンの上方に「紫色」が付された直線状の第２アイコンが付されていることに応じて、当該第２アイコンにより表されているリンクが「外部リンク」であることを把握することができる。例えば、ユーザは、第１アイコンＱ６の上方に伸びる紫色が付された直線状の第２アイコンが付されていることに応じて、第１アイコンＱ６により表されているコンテンツが、画像中第１アイコンにより表現されていない外部コンテンツとの外部リンクを有することを把握することができる。
【０１０８】
さらに、ユーザは、第１アイコンの「サイズ」に応じて、当該第１アイコンにより表されているコンテンツへの「アクセス頻度」を把握することができる。例えば、ユーザは、第１アイコンＱ６が第１アイコンＱ３より大きいことに応じて、第１アイコンＱ６により表されているコンテンツへのアクセス頻度が、第１アイコンＱ３により表されているコンテンツへのアクセス頻度よりも高いことを把握することができる。
【０１０９】
また、ユーザは、マウス１０２等を操作することで「画像補正内容」を設定することができ、この画像補正内容に従った第２画像制御ユニット１２２による表示画像（図６〜図８参照）を通じて、コンテンツの「階位」及び「リンク状態」のうち一方又は両方が補正された場合のコンテンツの総合的状態を容易に把握することができる。
【０１１０】
そして、ユーザは、第１画像制御ユニット１２１による表示画像（図５参照）と、第２画像制御ユニット１２２による表示補正画像（図６〜図８参照）との差異、又は第２画像制御ユニット１２２による補正前後の表示画像（図７、図８参照）の差異を容易に把握することができる。また、ユーザはマウス１０２を操作してディスプレー１０１に表示されているボタン（図示略）をクリックすることで、コンテンツの階位やリンク状態を変更する等の対処をすることができ（図２／Ｓ７、Ｓ８参照）、これにより適切且つ容易にサイトを管理・運営することができる。
【０１１１】
具体的には、図６に示すように、ディスプレー１０１において、第１アイコンＱと第１アイコンＱ１とが矢印形状の第２アイコンＰ６で結びつけられることで、第１アイコンＱ１から赤色が消滅して青色が付されるともに、第１アイコンＱ１１〜Ｑ１５から赤色が消滅して白色が付される。
【０１１２】
これにより、ユーザは、第１アイコンＱにより表される第１位コンテンツと、第１アイコンＱ１により表されるコンテンツとをリンクさせることで、第１アイコンＱ１，Ｑ１１〜Ｑ１５により表されるコンテンツが、第１位コンテンツとのリンク経路を有することになることを把握することができる。そして、ユーザは、図６に示す状態でディスプレー１０１に表示されているボタン（図示略）をクリックすることで、第１アイコンＱ１，Ｑ１１〜Ｑ１５で表されるコンテンツに第１アイコンＱで表される第１位コンテンツとのリンク経路をもたせることができる（図２／Ｓ７、Ｓ８参照）。
【０１１３】
また、図７に示すように、ディスプレー１０１において、第１アイコンＱ１，Ｑ１１〜Ｑ１５がまとまって１階位だけ上位に移動させられることで、第１アイコンＱ１の位置が第２位位置となり、第１アイコンＱ１１〜Ｑ１５の位置が第３位位置となる。また、第１アイコンＱと第１アイコンＱ１とが矢印形状の第２アイコンＰ６で結びつけられることで、第１アイコンＱ１から赤色が消滅して青色が付されるともに、第１アイコンＱ１１〜Ｑ１５から赤色が消滅して白色が付される。
【０１１４】
これにより、ユーザは第１アイコンＱ１により表されるコンテンツの階位が第３位から第２位に変化し、第１アイコンＱ１１〜Ｑ１５により表されるコンテンツの階位が第４位から第３位に変化したことを把握することができる。また、ユーザは、第１アイコンＱにより表される第１位コンテンツと、第１アイコンＱ１により表されるコンテンツとをリンクさせることで、第１アイコンＱ１，Ｑ１１〜Ｑ１５により表されるコンテンツが、第１位コンテンツとのリンク経路を有することになることを把握することができる。そして、ユーザは、図７に示す状態でディスプレー１０１に表示されているボタンをクリックすることで、第１アイコンＱ，Ｑ１１〜Ｑ１５で表されるコンテンツの階位をそれぞれ１位だけ上げ、これらコンテンツに第１位コンテンツとのリンク経路をもたせることができる（図２／Ｓ７、Ｓ８参照）。
【０１１５】
さらに、図８に示すように、ディスプレー１０１において、第１アイコンＱ５３１〜Ｑ５３７が第６位位置に移動させられた後、第１アイコンＱ５３１の位置が第１アイコンＱ５３２〜Ｑ５３７の位置より１位だけ高くされている。また、第１アイコンＱ５３１に青色が付されるとともに、第１アイコンＱ５３２〜Ｑ５３７に白色が付されている。
【０１１６】
これにより、ユーザは、第１アイコンＱ５３１〜Ｑ５３７により表されるコンテンツの階位が第５位から第６位に変化した後、第１アイコンＱ５３１で表されるコンテンツが非代表コンテンツから代表コンテンツになることで、第１アイコンＱ５３１で表されるコンテンツの階位が１位だけ高くなって第５位になったことを把握することができる。そして、ユーザは、図８に示す状態でディスプレー１０１に表示されているボタンをクリックすることで、第１アイコンＱ５３１〜Ｑ５３７で表されるコンテンツの階位を１位だけ下げた上で、第１アイコンＱ５３１で表されるコンテンツを代表コンテンツとすることができる（図２／Ｓ７、Ｓ８参照）。
【０１１７】
なお、前記実施形態ではサイト管理コンピュータ１００と、ウェブサーバ２１０と、ログサーバ２２０とは別個のものであったが、他の実施形態としてサイト管理コンピュータ１００と、ウェブサーバ２１０及びログサーバ２２０のうち一方又は両方とが共通のコンピュータにより構成されてもよい。また、ウェブサーバ２１０及びログサーバ２２０が共通のサーバにより構成されていてもよい。
【０１１８】
また、前記実施形態では画像制御ユニット１４０によりサイト管理コンピュータ１００のディスプレー１０１に図５〜図８に示すような画像が表示されたが、他の実施形態として第１画像制御ユニット１２１、又は第２画像制御ユニット１２２がネットワークを介してコンピュータ２３０にこの画像を表示するために必要なデータやプログラムを送信し、当該コンピュータ２３０のディスプレー（画像表示装置）に当該画像を表示させてもよい。
【０１１９】
前記実施形態ではディレクトリの階位と、代表コンテンツ及び非代表コンテンツの別とに基づきコンテンツの階位が認識されたが（図２／Ｓ１、図３参照）、他の実施形態としてディレクトリの階位のみによってコンテンツの階位が認識されてもよい。この場合、ディレクトリの構造が第１アイコンの色彩等により表現されてもよい。また、第１位コンテンツ（トップページ）からのアクセス数等、種々の基準によってコンテンツの階位が認識されてもよい。
【０１２０】
前記実施形態ではコンテンツ（ウェブページ）が「第１アイコン」により表現されたが、他の実施形態として立方体、円盤体、円錐体等、第１アイコン以外のあらゆる形状体により表現されてもよい。
【０１２１】
また、第１画像制御ユニット１２１や、第２画像制御ユニット１２２によりディスプレー１０１に表示されるコンテンツの「リンク状態」や「アクセス履歴」が反映された画像は、前記実施形態と異なるさまざまな形態で表現されてもよい。
【０１２２】
例えば、前記実施形態ではコンテンツと第１位コンテンツとのリンク経路がないというリンク状態が、当該コンテンツを表す第１アイコン（第１アイコン）に「赤色」が付されることで表現されたが（図５参照）、他の実施形態として当該リンク状態が、第１アイコンの形状、赤色以外の色彩、模様等により表現されてもよく、当該コンテンツのリンクを表す矢印（第２アイコン）の形状、赤色等の色彩、模様等により表現されてもよい。
【０１２３】
また、前記実施形態ではリンクの有無、リンク方向等が、矢印（第２アイコン）の有無、矢印の向き等により表現されているが、他の実施形態としてリンクの有無、リンク方向等が第１アイコン（第１アイコン）を結びつける線（第２アイコン）の形状、色彩、模様により表現されてもよい。
【０１２４】
さらに、前記実施形態ではアクセス頻度の高低が第１アイコン（第１アイコン）のサイズの大小により表現されたが（図５参照）、他の実施形態としてアクセス頻度が第１アイコンの色彩、模様、形状等により表現されてもよく、この第１アイコンに結び付けられた矢印・線の太さ、色彩、模様等により表現されてもよい。
【０１２５】
例えば、画像制御ユニット１４０により、図９に示されているような画像がディスプレー１０２に表示されてもよい。図９に示されている画像は、第１アイコンのサイズの大小により、当該第１アイコンにより表されているコンテンツのアクセス頻度の高低が表されている点等において、図５に示されている画像と一致している。ここでは、図５に示されている画像と相違する点についてのみ説明する。
【０１２６】
まず、リンクが全て棒状（直線状）の第２アイコンにより表現されている。
【０１２７】
また、リンクを通じたアクセス頻度の高低が、棒状の第２アイコンの太さにより表されている。従って、例えば、第１アイコンＱ６，Ｑ６３を結ぶ太い第２アイコンにより表されているリンクを経由したアクセス頻度が、第１アイコンＱ，Ｑ２を結ぶ細い第２アイコンにより表されているリンクを経由したアクセス頻度よりも高いことをユーザに視覚的に把握させることができる。
【０１２８】
また、リンクを経由したアクセスがまったくないことが、当該リンクを表す第２アイコンに「赤色」が付されることにより表現されている。従って、例えば、第１アイコンＱ１と、第１アイコンＱ１１〜Ｑ１５とを結ぶ第２アイコンに赤色が付されていることを通じて、第１アイコンＱ１，Ｑ１１〜Ｑ１５により表されているコンテンツへのアクセスが皆無であることをユーザに視覚的に把握させることができる。
【０１２９】
前記実施形態では、ユーザによるマウス１０２等の操作に応じて「画像補正内容」が設定され、第２画像制御ユニット１２２がこの画像補正内容に従ってディスプレー１０１における表示画像を補正したが（図２／Ｓ５、Ｓ６、図５〜８参照）、他の実施形態として第２画像制御ユニット１２２がユーザ等により予め設定されている画像補正内容に従って画像を自動的に補正してもよい。
【０１３０】
さらに、「画像補正内容」は、第１位コンテンツや、マウス（第３操作用手段）１０２によりユーザにより指定されるコンテンツ等の所定コンテンツとのリンク経路を有しないというリンク状態にあるコンテンツを表す第１アイコン（第１アイコン）やそのリンクを表す矢印（第２アイコン）の表示形態を、当該リンク経路を有するというリンク状態に応じた表示形態に変更するという内容であってもよい。
【０１３１】
当該他の実施形態によれば、例えば、図５に示すように第１位コンテンツとのリンク経路がないコンテンツを表す第１アイコンＱ１，Ｑ１１〜Ｑ１５の色彩（＝赤色（図中斜線））が、図６、図７又は図８に示すように第１アイコンＱと第１アイコンＱ１とが矢印形状の第２アイコンＰ６やＰ７で自動的に結び付けられることで、当該リンク経路がある場合の青色（図中黒色）や白色に自動的に変更される。これにより、ユーザは、第１位コンテンツ等の所定コンテンツとのリンク経路がないコンテンツに当該リンク経路を持たせるには、当該コンテンツの階位やリンク状態をどのように変更すればよいかを具体的に把握することができる。
【０１３２】
また「画像補正内容」は、アクセス頻度が相対的に高いコンテンツを表す第１アイコンの位置を、上位位置に変更するという内容であってもよい。
【０１３３】
当該他の実施形態によれば、例えば、第１アイコンＱ１により表されるコンテンツのアクセス頻度が、第１アイコンＱ２〜Ｑ５により表されるコンテンツのアクセス頻度よりも高いとき、図７に示すように第１アイコンＱ１の位置が第１アイコンＱ２〜Ｑ５よりも階位が高い位置に自動的に変更される。これにより、ユーザは、アクセス頻度が相対的に高いコンテンツの階位を上げるには、そのリンク状態をどのように変更すればよいか等を具体的に把握することができる。
【０１３４】
また、本システムが、コンテンツサーバ２１０との通信に基づき、異なるコンテンツの情報間の関連の強弱を表す「情報関連度」を認識する第５処理ユニット（図示略）を備え、第２画像制御ユニット１２２が、第５処理ユニットにより認識された情報関連度が相対的に高い２つのコンテンツを表す第１アイコンや矢印の表示形態を、これら２つのコンテンツの「リンク経路が増加された」又は「リンク経路に含まれるリンク数が減少された」というリンク状態に応じた表示形態に変更するという画像補正内容を認識してもよい。
【０１３５】
本発明の当該実施形態によれば、ユーザは、第１画像制御ユニット１２１及び第２画像制御ユニット１２２による表示画像の差異を把握することで、情報関連度が相対的に高いコンテンツのリンクを容易にするためには、そのコンテンツの階位やリンク状態をどのように変更すればよいか等を具体的に把握することができる。
【０１３６】
さらに本システムが、コンテンツサーバ２１０との通信に基づき、コンテンツの「情報種類」を認識する第６処理ユニット（図示略）を備え、画像制御ユニット１４０が第４処理ユニットにより認識されたコンテンツの「情報種類」を、第１アイコン（第１アイコン）や矢印（第２アイコン）の表示形態に反映させた画像をディスプレー１０１に表示させてもよい。
【０１３７】
例えば、コンテンツの情報種類が「音楽」に関するものであれば、当該コンテンツがバイオリン等の楽器を模した第１アイコンにより表現されたり、コンテンツの情報種類が「動物」に関するものであれば、当該コンテンツがキリンやライオン等の動物を模した第１アイコンにより表現されてもよい。
【０１３８】
本発明の当該実施形態によれば、ユーザは、ディスプレー１０１に表示された画像を通じて、コンテンツの情報種類を容易に認識することができる。これにより、ユーザは、情報種類が同一又は類似するコンテンツをリンクさせる等の対処により、サイトを適切に管理することができる。
【０１３９】
前記実施形態ではコンテンツのリンク状態として「リンクの有無」「第１位コンテンツとのリンク経路の有無」等が第２処理ユニット１１２により認識されたが（図２／Ｓ２参照）、他の実施形態として「リンクに伴う階位変化」「所定コンテンツとのリンク経路に含まれるリンク数」「所定コンテンツとのリンク経路数」等の他のリンク状態が認識されてもよい。そして、当該他の実施形態において、第１画像制御ユニット１２１や第２画像制御ユニット１２２が、リンクに伴う階位変化等のリンク状態に応じて第１アイコンや第２アイコンの表示形態に反映させた画像をディスプレー１０１に表示させてもよい。
【０１４０】
本発明の当該他の実施形態によれば、ユーザは、ディスプレー１０１における表示画像を通じて、各コンテンツと所定コンテンツとの「リンク経路に含まれるリンク数」等を認識することができる。そして、ユーザは、コンテンツと所定コンテンツとの中間にあるリンク状態を変更する等の対処が可能となる。
【０１４１】
また、第１画像制御ユニット１２１や第２画像制御ユニット１２２が、サイト管理コンピュータ１００が備えているマウス１０２により、マウスポインタが位置合わせされた第２アイコンにより表されるリンクを有するコンテンツの「アクセス履歴」をディスプレー１０１に表示させてもよい。例えば、外部リンクを表す紫色の直線状の第２アイコンＰ５にマウスポインタが位置合わせされたとき、第１アイコンＱ６により表されているコンテンツの外部リンクを通じたアクセス履歴（図４参照）がディスプレー１０１に表示されてもよい。
【０１４２】
本発明の当該実施形態によれば、ユーザは、マウス１０２を通じて、ディスプレー１０１に表示された第２アイコンにより表されるリンクを指定することで、当該指定リンクによりリンクされたコンテンツへのアクセス履歴を把握することができる。これにより、ユーザは、コンテンツの階位やリンク状態を変更する等の対処が可能となる。
【０１４３】
また、第３処理ユニット１１３が、コンテンツへのアクセス経路の種類ごとのアクセス頻度を認識し、第１画像制御ユニット１２１や第２画像制御ユニット１２２がこのアクセス経路の種類ごとのアクセス頻度を、第１アイコン及び第２アイコンのうち一方又は両方の表示形態（サイズ、色彩等）に反映させた画像を、ディスプレー１０１に表示させてもよい。例えば、紫色が付された直線状の第２アイコンＰ５に結び付けられた第１アイコンＱ６により現されるコンテンツについて、第２アイコンＰ５により表される外部リンクを通じたアクセス頻度と、その他のリンクを通じたアクセス頻度との比率が、図９に示すように第１アイコンＱ６の外側部分（図中縦線部分）と内側部分（図中横線部分）とのサイズの比率として表されてもよい。外側部分と内側部分とは、色彩や模様により区分されていてもよい。
【０１４４】
本発明の当該実施形態によれば、ユーザは、ディスプレー１０１に表示された画像を通じて、コンテンツへのアクセス経路の種類ごとのアクセス頻度を認識することができる。例えば、ユーザは、図１０に示す第１アイコンＱ６の外側及び内側部分のサイズ比率を通じて、第１アイコンＱ６により表されているコンテンツについて、外部リンクを通じたアクセス頻度と、その他のリンクを通じたアクセス頻度との比率を把握することができる。そして、ユーザは、コンテンツの階位やリンク状態を変更する等の対処により、より適切にサイトを管理することができる。
【０１４５】
また、第３処理ユニット１１３が、コンテンツのアクセス経路の種類として、コンテンツの通常のリンク経路と、ブックマーク等を通じた飛び込み経路とを認識し、第１画像制御ユニット１２１や第２画像制御ユニット１２２が、コンテンツへの当該リンク経路を通じたアクセス頻度と、飛び込み経路を通じたアクセス頻度との比率を、当該コンテンツを表す第１アイコンの表示形態に反映させた画像をディスプレー１０１に表示させてもよい。また、アクセス経路は、アクセス元の国や地域の別（例えば、日本からのアクセス又は海外からのアクセス）や、アクセス元のコンピュータ２３０のＯＳの種類の別やブラウザの種類の別に応じて分類されてもよい。
【０１４６】
さらに、ユーザがマウス１０２を通じてディスプレー１０１に表示されているボタンをクリックすることに応じて、第１画像制御ユニット１２１や第２画像制御ユニット１２２が、ディスプレー１０１における表示画像の視点を変更させてもよい。
【０１４７】
本発明の当該実施形態によれば、ユーザはさまざまな角度や大きさで第１アイコンの仮想の３次元空間における位置及び第２アイコンを含む画像を見て、サイトに置かれたコンテンツの管理状態を正確に把握することができる。
【０１４８】
また、ディスプレー１０１に表示される第１コンテンツの数やリンクの数等、情報量がユーザの意思に応じて制限されてもよい。例えば、第１画像制御ユニット１２１が、代表コンテンツを表す第１アイコンのみがディスプレー１０１に表示させたり、ユーザによる指定範囲内のコンテンツを表す第１アイコンのみがディスプレー１０１に表示させてもよい。これにより、膨大な量のＨＴＭＬが存在する場合でも、適切な数のアイコンがディスプレー１０１に表示され得る。
【０１４９】
さらに、第２画像制御ユニット１２２が、第２処理ユニット１１２により認識された第１位コンテンツ（トップページ）から他のコンテンツへのリンク経路数の平均値等のリンク状態に基づき、サイトの構成を採点した上で、ディスプレー１０１にこの採点結果を表示させてもよい。また、第２画像制御ユニット１２２が、第３処理ユニット１１３により認識されたアクセス履歴等に基づき、コンテンツの階位やリンク状態等、修正すべき点を認識した上で、ディスプレー１０１に当該修正点を表示させてもよい。修正点には、リンクがあるのにアクセス数が０であるコンテンツの削除等が含まれ得る。
【図面の簡単な説明】
【０１５０】
【図１】本発明の一実施形態におけるサイト管理システムの構成説明図
【図２】本発明の一実施形態におけるサイト管理システムの機能説明図
【図３】本発明の一実施形態におけるサイト管理システムの機能説明図
【図４】本発明の一実施形態におけるサイト管理システムの機能説明図
【図５】本発明の一実施形態におけるサイト管理システムの機能説明図
【図６】本発明の一実施形態におけるサイト管理システムの機能説明図
【図７】本発明の一実施形態におけるサイト管理システムの機能説明図
【図８】本発明の一実施形態におけるサイト管理システムの機能説明図
【図９】本発明の一実施形態におけるサイト管理システムの機能説明図
【図１０】本発明の一実施形態におけるサイト管理システムの機能説明図
【符号の説明】
【０１５１】
１００‥サイト管理コンピュータ（サイト管理システム）、１０１‥ディスプレー、１０２‥マウス（操作用手段）、１０３‥キーボード（操作用手段）、１１１‥第１処理ユニット、１１２‥第２処理ユニット、１１３‥第３処理ユニット、１１４‥第４処理ユニット、１２１‥第１アイコン処理ユニット、１２２‥第２画像制御ユニット、２１０‥ウェブサーバ、２１２‥コンテンツ管理ユニット、２２０‥ログサーバ、２２１‥ログ解析ユニット、２２２‥ログ情報管理ユニット、２３０‥コンピュータ
【図１】
2005293252.tif 000003
【図２】
2005293252.tif 000004
【図３】
2005293252.tif 000005
【図４】
2005293252.tif 000006
【図５】
2005293252.tif 000007
【図６】
2005293252.tif 000008
【図７】
2005293252.tif 000009
【図８】
2005293252.tif 000010
【図９】
2005293252.tif 000011
【図１０】
2005293252.tif 000012